(57)【特許請求の範囲】
【請求項１】
一方向に並ぶ複数の処理液タンク内の処理液中に感光材料の移動を案内するラックを挿入し、そのラックの両側上部に設けられた掛吊りピンが処理液タンクの両側上方に設けられた受部で支持されるラックのセット状態で各ラックを保持する自動現像機におけるラックの固定装置において、前記受部上に処理液タンクの配列方向に長く延びるロックプレートを設け、そのロックプレートの上記各受部と対向する位置に切欠部を形成し、ロックプレートの長さ方向に並ぶ複数の切欠部を端から順に複数のグループに分け、グループ分けされた切欠部の幅寸法を掛吊りピンの１本が挿入可能な寸法を規準寸法として、その規準寸法の整数倍ずつ大きくし、最も大きい切欠部の幅寸法より大きい距離をスライド量としてロックプレートを長さ方向にスライド自在に支持したことを特徴とする自動現像機におけるラックの固定装置。
【発明の詳細な説明】
【０００１】
【発明の属する技術分野】
この発明は、フィルムや印画紙等の感光材料を現像処理する自動現像機に係り、詳しくは、上記感光材料の移動を案内するラックの固定装置に関するものである。
【０００２】
【従来の技術】
現像液、漂白液、定着液、安定化液等の各種の現像処理液を一方向に並ぶ複数の処理液タンクに充填し、その処理液タンクの処理液中に感光材料を順に浸漬して現像処理する自動現像機においては、各処理液タンクの処理液中にラックを浸漬し、そのラック内において感光材料を移動させるようにしている。
【０００３】
ここで、感光材料の移動を案内するラックのセットが不完全であり、隣接するラックの相互間において搬出位置と搬入位置に段差があると、ラック間において、感光材料が詰まり、搬送不能になる。
【０００４】
このような不都合の発生を防止するため、自動現像機においては、処理液タンク内にセットされたラックを固定装置によりロックしている。
【０００５】
ラックの固定装置として実開平２−２７１４３号公報に開示されたものが従来から知られている。この固定装置は、一方向に並ぶ処理液タンクの両側上部にストッパプレートを設け、各ストッパプレートを処理液タンクの配列方向に移動自在に支持し、上記処理液タンク内へのラックの挿入時にそのラックの両側上部から側方に突出するシャフトの端部をストッパプレートに形成した切欠きに挿通し、上記ラックの両側上部に設けた各掛吊りピンが受部で支持されるラックの懸垂状態において、ストッパプレートの切欠きがシャフト端部から位置がずれるまでストッパプレートを移動させて、全てのラックを同時に固定している。
【０００６】
【発明が解決しようとする課題】
ところで、自動現像機においては、資源の節減や環境保全の面から処理液の減量化が推し進められ、その目的達成のため、ラックに形成された移送路の断面をスリット状とし、そのスリット状移送路に沿って感光材料を移送させつつ、感光材料の乳剤面に処理液を噴射して現像処理することが考案されてきている。
【０００７】
上記のようなスリットタイプのラックは、内部中空の成形品とされ、浮力も大きい。このため、処理液タンクの処理液中に単に挿入すると、浮き上がり、受部で掛吊りピンを支持することができない。したがって、スリットタイプのラックを先に述べたストッパプレートで固定しようとすると、各処理液タンクの処理液中に挿入したラックの全てを処理液中に同時に押し沈めた状態でストッパプレートを移動させる必要が生じ、１人の作業者によってラックを固定することはできない。
【０００８】
この発明の課題は、処理液中において浮き上がる複数のラックを１人の作業者によってセット状態に確実に保持することができるラックの固定装置を提供することである。
【０００９】
【課題を解決するための手段】
上記の課題を解決するために、この発明においては、一方向に並ぶ複数の処理液タンク内の処理液中に感光材料の移動を案内するラックを挿入し、そのラックの両側上部に設けられた掛吊りピンが処理液タンクの両側上方に設けられた受部で支持されるラックのセット状態で各ラックを保持する自動現像機におけるラックの固定装置において、前記受部上に処理液タンクの配列方向に長く延びるロックプレートを設け、そのロックプレートの上記各受部と対向する位置に切欠部を形成し、ロックプレートの長さ方向に並ぶ複数の切欠部を端から順に複数のグループに分け、グループ分けされた切欠部の幅寸法を掛吊りピンの１本が挿入可能な寸法を規準寸法として、その規準寸法の整数倍ずつ大きくし、最も大きい切欠部の幅寸法より大きい距離をスライド量としてロックプレートを長さ方向にスライド自在に支持した構成を採用している。
【００１０】
【発明の実施の形態】
以下、この発明の実施の形態を図面に基づいて説明する。図１は自動現像機の概略を示し、図２は図１の平面図を示す。同図で示される自動現像機は、６つの処理液タンクＴ１  乃至Ｔ６  を有し、各処理液タンクＴ１  乃至Ｔ６  は一方向に配列され、各処理液タンクＴ１  乃至Ｔ６  に現像液、漂白液、定着液、安定化液等の各種の現像処理液が充填されている。
【００１１】
各処理液タンクＴ１  乃至Ｔ６  の処理液中には写真感光材料Ａの移動を案内するラック１が挿入される。
【００１２】
ラック１は、内部中空の成形品から成り、処理液中において浮き上がる浮力を有する。また、ラック１は、その内部において写真感光材料Ａを下向きに案内し、ラック下部において移送方向を１８０°方向変換させ、それより上向きに案内するスリット状の移送路と、その移送路に沿って写真感光材料Ａを搬送させる複数の送りローラ２とを有する。
【００１３】
また、ラック１には一側上部に１本の掛吊りピン３ａと、他側上部に２本の掛吊りピン３ｂとが設けられている。
【００１４】
図３は、上記ラック１を処理液タンクＴ１  乃至Ｔ６  の処理液中に挿入した状態を示し、ラック１は処理液中に浮かび、各掛吊りピン３ａ、３ｂは処理液タンクＴ１  乃至Ｔ６  の両側上方に設けた位置決めプレート４ａ、４ｂの上方に臨んでいる。
【００１５】
位置決めプレート４ａ、４ｂの一方は処理液タンクＴ１  乃至Ｔ６  の一側上部に設けた左側サイドフレーム５の内面に取付けられている。一方、他方の位置決めプレート４ｂは処理液タンクＴ１  乃至Ｔ６  の他側上部に設けた右側サイドフレーム６に一体に設けられている。
【００１６】
位置決めプレート４ａ、４ｂのそれぞれは、処理液タンクＴ１  乃至Ｔ６  の配列方向に長く延び、その上縁には処理液タンクＴ１  乃至Ｔ６  の内部に挿入されるラック１の掛吊りピン３ａ、３ｂと対応する位置に切欠きから成る受部７が設けられている。
【００１７】
図３および図４に示すように、各位置決めプレート４ａ、４ｂの上方にはロックプレート８ａ、８ｂが設けられている。ロックプレート８ａ、８ｂは処理液タンクＴ１  乃至Ｔ６  の配列方向に長く延びている。このロックプレート８ａ、８ｂは、各サイドフレーム５、６の内面に衝合されるガイドプレート９を有し、各ガイドプレート９に、そのプレートの長さ方向に長く延びるガイド孔１０が複数形成されている。ガイド孔１０にはサイドフレーム５、６の内面に突設したガイドピン１１が挿入され、そのガイドピン１１にガイド孔１０の両端が当接する範囲内において各ロックプレート８ａ、８ｂはスライドし得るようになっている。
【００１８】
ロックプレート８ａ、８ｂは、ガイドピン１１にガイド孔１０の一端が当接する位置がロック解除位置とされ、ガイドピン１１にガイド孔１０の他端が当接する位置がロック位置とされ、上記ロック解除位置において、ロックプレート８ａ、８ｂの先端は、図２に示すように、位置決めプレート４ａ、４ｂの先端部に設けられた受部７の上方から退避された位置に臨んでいる。
【００１９】
上記ロックプレート８ａ、８ｂには、スライド操作用の操作片１２が設けられている。また、ロックプレート８ａ、８ｂには、図２に示すように、ロック解除位置において、位置決めプレート４ａ、４ｂに形成された各受部７と対応する位置に掛吊りピン３ａ、３ｂが挿通可能な切欠部１３ａ、１３ｂ、１４ａ、１４ｂが設けられている。
【００２０】
２枚のロックプレート８ａ、８ｂのうち、一方のロックプレート８ａの長さ方向に並ぶ複数の切欠部１３ａ、１３ｂは端から２つのグループに分けられ、一方のグループの切欠部１３ａの幅寸法は対応する掛吊りピン３ａのピン径より少し大きい寸法（規準寸法）とされ、他方のグループの切欠部１３ｂの幅寸法は規準寸法の略２倍の寸法とされている。
【００２１】
また、他方のロックプレート８ｂは、その詳細図を省略しているが、図２に示すように、長さ方向に並ぶ複数の切欠部１４ａ、１４ｂは端から２つのグループに分けられ、一方のグループの切欠部１４ａの幅寸法は対応する掛吊りピン３ｂのピン径より少し大きい寸法（規準寸法）とされ、他方のグループの切欠部１４ｂの幅寸法は規準寸法の略２倍の寸法とされている。
【００２２】
実施の形態で示すラックの固定装置は上記の構造から成り、ラック１の固定に際しては、各ロックプレート８ａ、８ｂをロック解除位置に偏位させた状態において、処理液タンクＴ１  乃至Ｔ６  の処理液中にラック１を挿入する。
【００２３】
図２は、各処理液タンクＴ１  乃至Ｔ６  内にラック１を挿入した状態を示し、その挿入状態において、ラック１は図３に示すように処理液中に浮かび、両側上部に設けられた掛吊りピン３ａ、３ｂはロックプレート８ａ、８ｂの上方に臨んでいる。
【００２４】
図２に示す状態において、処理液タンクＴ４  乃至Ｔ６  に挿入された３つのラック１を同時に押し下げ、掛吊りピン３ａ、３ｂのそれぞれを位置決めプレート４ａ、４ｂの受部７内に挿入させた状態において、各ロックプレート８ａ、８ｂを切欠部１３ａ、１４ａの幅寸法に対応する距離をスライド量として同図の右方向に移動させることにより、切欠部１３ａ、１４ａが掛吊りピン３ａ、３ｂから外れ、掛吊りピン３ａ、３ｂは受部７に嵌合する状態に保持される。このため、３つのラック１は処理液タンクＴ４  乃至Ｔ６  に正確にセットされた状態に保持される。
【００２５】
なお、ラック１の押し下げに際し、ラック１の浮力が大きく、３つのラック１を同時に押し下げることが困難な場合は、３つのラック１の上面一端部を押し下げ、押し下げた側のロックプレートをスライドさせてラック１の一側の掛吊りピンをロックしたのち、ラック１の上面他端部を押し下げ、残りのロックプレートのスライドにより、掛吊りピンをロックして、３つのラック１を片側から順にロックさせる。
【００２６】
図５（Ｉ）は、処理液タンクＴ４  乃至Ｔ６  に挿入されたラック１を正確にセットした状態を示し、その状態において、ロックプレート８ａ、８ｂの後側部分に形成された切欠部１３ｂ、１４ｂは、処理液タンクＴ１  乃至Ｔ３  に挿入された各ラック１の掛吊りピン３ａ、３ｂと対向する位置に臨んでいる。
【００２７】
図５（Ｉ）に示す状態から、処理液タンクＴ１  乃至Ｔ３  に挿入された３つのラック１を同時に押し下げ、掛吊りピン３ａ、３ｂを受部７内に嵌合させた状態で各ロックプレート８ａ、８ｂを上記と同じ距離だけ同方向に移動させることにより、図５（ＩＩ）に示すように、幅寸法の大きい切欠部１３ｂ、１４ｂが掛吊りピン３ａ、３ｂ上から外れ、残りのラック１は、図６に示すよう、掛吊りピン３ａ、３ｂが受部７で支持される正確なセット状態に保持される。
【００２８】
なお、洗浄やメンテナンス等によってラック１を取外す場合は、各ロックプレート８ａ、８ｂをロック解除位置まで偏向し、各切欠部１３ａ、１３ｂ、１４ａ、１４ｂが受部７上に臨む状態において各ラック１を引き上げる。
【００２９】
実施の形態においては、６つのラック１を３つずつ２段階に分けて固定するようにしたが、ロックプレート８ａ、８ｂの３段階のスライド操作によって６つのラック１を２つずつ固定してもよく、あるいはロックプレート８ａ、８ｂの６段階のスライド操作によって６つのラック１を１つずつ固定してもよい。
【００３０】
ロックプレート８ａ、８ｂの３段階のスライド操作によって６つのラック１を固定する場合は、ロックプレート８ａ、８ｂに形成された複数の切欠部を３つのグループに分け、第１グループの切欠部の幅寸法を掛吊りピン３ａ、３ｂのピン径より少し大きくし、第２グループの切欠部の幅寸法を掛吊りピン３ａ、３ｂのピン径の２倍より少し大きくし、さらに、第３グループの切欠部の幅寸法を掛吊りピン３ａ、３ｂのピン径の３倍より少し大きくする。
【００３１】
また、ロックプレート８ａ、８ｂの６段階のスライド操作によって６つのラック１を固定する場合は、ロックプレート８ａ、８ｂの先端部に位置する切欠部の幅寸法を掛吊りピン３ａ、３ｂのピン径より少し大きくし、その切欠部からロックプレート８ａ、８ｂの後端部に位置する切欠部に向けて切欠部の幅寸法を掛吊りピン３ａ、３ｂのピン径の略数倍ずつ順に大きくする。
【００３２】
【発明の効果】
以上のように、この発明においては、スライド自在に支持されたロックプレートにラックの両側上部に設けられた掛吊りピンが挿通可能な複数の切欠部を設け、その切欠部を所要数のグループに分け、グループ分けされた切欠部の幅寸法を掛吊りピンのピン径より少し大きい寸法を規準寸法としてその規準寸法の整数倍ずつ大きくし、処理液タンク内に挿入されたラックの押し下げと、上記ロックプレートの段階的なスライドとによって複数のラックを数回に分けて固定できるようにしたので、処理液中において浮き上がる複数のラックを１人の作業者によって簡単に、かつ確実にセット状態に保持することができる。
【図面の簡単な説明】
【図１】この発明に係るラック固定装置を採用した自動現像機の概略図
【図２】同上の平面図
【図３】処理液タンク内にラックを挿入した状態の断面図
【図４】同上のロックプレートの取付部を示す斜視図
【図５】（Ｉ）、（ＩＩ）はラックの固定状態を段階的に示す平面図
【図６】ラックの固定状態を示す断面図
【符号の説明】
１  ラック
３ａ、３ｂ  掛吊りピン
４ａ、４ｂ  位置決めプレート
７  受部
８ａ、８ｂ  ロックプレート
１３ａ、１３ｂ  切欠部
１４ａ、１４ｂ  切欠部
【図１】
0003550895.tif 000002
【図２】
0003550895.tif 000003
【図３】
0003550895.tif 000004
【図４】
0003550895.tif 000005
【図５】
0003550895.tif 000006
【図６】
0003550895.tif 000007